(57)【要約】【課題】端末のどの電子部品が故障しそうなのかの判断を、正確かつスタンドアローンでも可能とする端末を提供する。【解決手段】複数の電子部品を有する端末１であって、複数の電子部品のうちの少なくとも２つ以上の電子部品についての情報を検出する検出手段６と、検出手段６で検出した情報に基づいて、検出した情報を有する電子部品についての故障時期を予測する故障予測手段７と、故障予測手段７の予測結果に基づいて、予測した電子部品の故障時期が報知が必要な時期か否かを判断する判断手段８と、を備えている。【選択図】図１
2018147148.tif 000002
【特許請求の範囲】
【請求項１】
複数の電子部品を有する端末であって、
前記複数の電子部品のうちの少なくとも２つ以上の電子部品についての情報を検出する検出手段と、
前記検出手段で検出した情報に基づいて、検出した情報を有する電子部品についての故障時期を予測する故障予測手段と、
前記故障予測手段の予測結果に基づいて、予測した電子部品の故障時期が報知が必要な時期か否かを判断する判断手段と、
を備えていることを特徴とする端末。
【請求項２】
前記判断手段が、報知が必要な時期であると判断した場合に、報知情報を前記複数の電子部品の保守管理を行う保守管理部にネットワークを介して送信する送信手段を備えていることを特徴とする請求項１に記載の端末。
【請求項３】
請求項１に記載の複数の電子部品を有する端末と、
前記端末とネットワーク接続され、前記複数の電子部品の保守管理を行うとともに報知手段を有する保守管理部と、
前記端末の判断手段の判断結果に基づいて、前記保守管理部の報知手段を動作させるか否かを判断する報知判断手段と、
前記報知判断手段が前記保守管理部の報知手段を動作させると判断した場合に、前記保守管理部の報知手段を動作させる動作信号を該報知手段に送信する送信手段と、
を備えていることを特徴とする保守管理システム。
【請求項４】
前記端末は、前記判断手段が報知が必要と判断した場合に、報知情報を生成するよう構成され、前記報知判断手段は、前記端末が生成した報知情報を解読することで前記保守管理部の報知手段を動作させるか否かを判断するとともに、前記報知手段を動作させると判断した場合に、解読した報知情報にタグを付加する報知情報解読サーバーを備え、前記送信手段は、前記報知情報解読サーバーで判断した報知情報を前記報知手段に送信するよう構成され、前記保守管理部は、前記送信手段が送信した報知情報を受信して該報知情報にタグが付加されていると判別することで、該タグに基づいて報知情報を提示する提示装置を備えていることを特徴とする請求項３に記載の保守管理システム。
【請求項５】
ＣＰＵを含む複数の電子部品を備える端末において、前記端末のＣＰＵを、前記複数の電子部品のうちの少なくとも２つ以上の電子部品についての情報を取得する情報取得機能、前記情報取得機能で取得した情報に基づいて、取得した情報を有する電子部品についての故障時期を予測する故障予測機能、前記故障予測機能の予測結果に基づいて、予測した電子部品の故障時期が報知が必要な時期か否かを判断する判断機能として機能させる端末用プログラム。
【請求項６】
前記判断機能で報知が必要な時期であると判断した場合に、報知情報を前記複数の電子部品の保守管理を行う保守管理部にインターネットを介して送信する送信機能として前記端末のＣＰＵを機能させることを特徴とする請求項５に記載の端末用プログラム。
【請求項７】
表示手段と、ＣＰＵを有する本体部と、前記表示手段内の電子部品の情報及び前記本体部内の電子部品の情報のうちの少なくとも２つの情報を検出する検出手段と、を備え、
前記表示手段と前記本体部とを接続するためのモジュールアダプタであって、前記検出手段で検出した情報に基づいて、検出した情報を有する電子部品についての故障時期を予測する故障予測手段と、前記故障予測手段の予測結果に基づいて、予測した電子部品の故障時期が報知が必要な時期か否かを判断する判断手段と、前記ＣＰＵの初期設定を記憶しておくための記憶手段と、を有するモジュールアダプタを備えたことを特徴とするモジュール付き端末。
【請求項８】
表示手段と、ＣＰＵを有する本体部と、前記表示手段内の電子部品の情報及び前記本体部内の電子部品の情報のうちの少なくとも２つの情報を検出する検出手段と、を備える端末において、
前記表示手段と前記本体部とを接続可能に構成され、
前記検出手段で検出した情報に基づいて、検出した情報を有する電子部品についての故障時期を予測する故障予測手段と、
前記故障予測手段の予測結果に基づいて、予測した電子部品の故障時期が報知が必要な時期か否かを判断する判断手段と、
前記ＣＰＵの初期設定を記憶しておくための記憶手段と、
を備えたことを特徴とするモジュールアダプタ。
【発明の詳細な説明】
【技術分野】
【０００１】
本発明は、電子部品の故障時期を予測することができる端末、該端末の保守管理を行う保守管理システム、前記端末のＣＰＵを機能させる端末用プログラム、モジュールアダプタを備えたモジュール付き端末、モジュールアダプタに関する。
【背景技術】
【０００２】
近年において、オフィスや店内には、パーソナルコンピュータ等の端末が多数使用されている。このような端末が故障してしまうと、業務に支障をきたすため、端末の稼働状態を監視する故障警告システムが既に提案されている。この故障警告システムは、ネットワークを介して端末に接続され、端末からの情報がネットワークを通して伝達され、端末が稼働しているか否かを判定している（例えば特許文献１参照）。
【先行技術文献】
【特許文献】
【０００３】
【特許文献１】特開２０１６−９５６１０号公報
【発明の概要】
【発明が解決しようとする課題】
【０００４】
上記特許文献１では、端末が稼働しているか否かを判定しているだけであり、端末を構成するどの電子部品が故障しているのかが把握できないという不都合がある。また、ネットワークに端末が繋がっていないと、端末からの情報がネットワークを通して故障警告システムに伝達されないため、端末が稼働しているか否かを判定することができないという不都合もある。
【０００５】
本発明が前述の状況に鑑み解決しようとするところは、端末のどの電子部品が故障しそうなのかの判断を、正確かつスタンドアローンでも可能とする端末、保守管理システム、端末用プログラム、モジュール付き端末、モジュールアダプタを提供することにある。
【課題を解決するための手段】
【０００６】
本発明の端末は、前述の課題解決のために、複数の電子部品を有する端末であって、前記複数の電子部品のうちの少なくとも２つ以上の電子部品についての情報を検出する検出手段と、前記検出手段で検出した情報に基づいて、検出した情報を有する電子部品についての故障時期を予測する故障予測手段と、前記故障予測手段の予測結果に基づいて、予測した電子部品の故障時期が報知が必要な時期か否かを判断する判断手段と、を備えていることを特徴としている。
【０００７】
かかる構成によれば、検出手段により検出した電子部品毎の情報に基づいて、該電子部品の故障予測をするため、どの電子部品が故障しそうなのかを正確に特定することができる。また、端末自体で故障予測をするので、端末がスタンドアローンでも故障予測をすることができる。そして、予測した電子部品の故障時期が報知が必要な時期か否かを判断手段により判断することができる。
【０００８】
また、本発明の端末は、前記判断手段が報知が必要な時期であると判断した場合に、報知情報を前記複数の電子部品の保守管理を行う保守管理部にネットワークを介して送信する送信手段を備えていてもよい。
【０００９】
上記構成によれば、判断手段が報知が必要な時期であると判断した場合に、報知情報を複数の電子部品の保守管理を行う保守管理部にネットワークを介して送信して、外部の保守管理部に報知することができる。
【００１０】
また、本発明の保守管理システムは、請求項１に記載の複数の電子部品を有する端末と、前記端末とネットワーク接続され、前記複数の電子部品の保守管理を行うとともに報知手段を有する保守管理部と、前記端末の判断手段の判断結果に基づいて、前記保守管理部の報知手段を動作させるか否かを判断する報知判断手段と、前記報知判断手段が前記保守管理部の報知手段を動作させると判断した場合に、前記保守管理部の報知手段を動作させる動作信号を該報知手段に送信する送信手段と、を備えていることを特徴としている。
【００１１】
上記構成によれば、端末に備える検出手段により検出した電子部品毎の情報に基づいて、該電子部品の故障予測をするため、どの電子部品が故障しそうなのかを正確に特定することができる。また、端末自体で故障予測をするので、端末がスタンドアローンでも故障予測をすることができる。そして、予測した電子部品の故障時期が報知が必要な時期か否かを判断手段により判断することができる。また、送信手段により報知手段を動作させる動作信号を送信するので、故障が近付いている予測結果を保守管理部に迅速に知らせることができる。
【００１２】
また、本発明の保守管理システムは、前記端末が、前記判断手段が報知が必要と判断した場合に、報知情報を生成するよう構成され、前記報知判断手段は、前記端末が生成した報知情報を解読することで前記保守管理部の報知手段を動作させるか否かを判断するとともに、前記報知手段を動作させると判断した場合に、解読した報知情報にタグを付加する報知情報解読サーバーを備え、前記送信手段は、前記報知情報解読サーバーで判断した報知情報を前記報知手段に送信するよう構成され、前記保守管理部は、前記送信手段が送信した報知情報を受信して該報知情報にタグが付加されていると判別することで、該タグに基づいて報知情報を提示する提示装置を備えていることを特徴とする。
【００１３】
上記構成によれば、報知判断手段を構成する報知情報解読サーバーが、端末が生成した報知情報を解読することによって、保守管理部の報知手段を動作させるか否かを正確に判断することができる。また、提示装置が、送信手段が送信した報知情報に、タグが付加されていると判別して該報知情報を確実に提示することができる。
【００１４】
また、本発明の端末用プログラムは、ＣＰＵを含む複数の電子部品を備える端末において、前記端末のＣＰＵを、前記複数の電子部品のうちの少なくとも２つ以上の電子部品についての情報を取得する情報取得機能、前記情報取得機能で取得した情報に基づいて、取得した情報を有する電子部品についての故障時期を予測する故障予測機能、前記故障予測機能の予測結果に基づいて、予測した電子部品の故障時期が報知が必要な時期か否かを判断する判断機能として機能させることが好ましい。
【００１５】
上記構成によれば、端末のＣＰＵを上記のように機能させることによって、どの電子部品が故障しそうなのかを正確に特定することができる。また、端末がスタンドアローンでも電子部品の故障予測をすることができる。そして、予測した電子部品の故障時期が報知が必要な時期か否かを判断することができる。
【００１６】
また、本発明の端末用プログラムは、前記判断機能で報知が必要な時期であると判断した場合に、報知情報を前記複数の電子部品の保守管理を行う保守管理部にインターネットを介して送信する送信機能として前記端末のＣＰＵを機能させることが好ましい。
【００１７】
上記構成によれば、端末のＣＰＵを上記のように機能させることによって、報知情報を複数の電子部品の保守管理を行う保守管理部にネットワークを介して送信して、外部の保守管理部に報知することができる。
【００１８】
また、本発明のモジュールアダプタ付き端末は、表示手段と、ＣＰＵを有する本体部と、前記表示手段内の電子部品の情報及び前記本体部内の電子部品の情報のうちの少なくとも２つの情報を検出する検出手段と、を備え、前記表示手段と前記本体部とを接続するためのモジュールアダプタであって、前記検出手段で検出した情報に基づいて、検出した情報を有する電子部品についての故障時期を予測する故障予測手段と、前記故障予測手段の予測結果に基づいて、予測した電子部品の故障時期が報知が必要な時期か否かを判断する判断手段と、前記ＣＰＵの初期設定を記憶しておくための記憶手段と、を有するモジュールアダプタを備えたことを特徴としている。
【００１９】
上記構成によれば、検出手段により検出した電子部品毎の情報に基づいて、該電子部品の故障予測をするため、どの電子部品が故障しそうなのかを正確に特定することができる。また、モジュールアダプタ自体で故障予測をするので、端末がスタンドアローンでも故障予測をすることができる。そして、予測した電子部品の故障時期が報知が必要な時期か否かを判断手段により判断することができる。また、モジュールアダプタに初期設定を記憶しているので、保守作業（部品交換）の際の初期設定作業を極めて簡単にでき、保守作業に要する端末の停止時間を短縮することができる。
【００２０】
また、本発明のモジュールアダプタは、表示手段と、ＣＰＵを有する本体部と、前記表示手段内の電子部品の情報及び前記本体部内の電子部品の情報のうちの少なくとも２つの情報を検出する検出手段と、を備える端末において、前記表示手段と前記本体部とを接続可能に構成され、前記検出手段で検出した情報に基づいて、検出した情報を有する電子部品についての故障時期を予測する故障予測手段と、前記故障予測手段の予測結果に基づいて、予測した電子部品の故障時期が報知が必要な時期か否かを判断する判断手段と、前記ＣＰＵの初期設定を記憶しておくための記憶手段と、を備えたことを特徴としている。
【００２１】
上記構成によれば、検出手段により検出した電子部品毎の情報に基づいて、該電子部品の故障予測をするため、どの電子部品が故障しそうなのかを正確に特定することができる。また、モジュールアダプタ自体で故障予測をするので、端末がスタンドアローンでも故障予測をすることができる。そして、予測した電子部品の故障時期が報知が必要な時期か否かを判断手段により判断することができる。また、モジュールアダプタに初期設定を記憶しているので、保守作業（部品交換）の際の初期設定作業を極めて簡単にでき、端末の停止時間を短縮することができる。
【発明の効果】
【００２２】
本発明によれば、電子部品毎の情報に基づいて、該電子部品の故障予測を端末自体で行うので、端末のどの電子部品が故障しそうなのかの判断を、正確かつスタンドアローンでも可能とする端末、保守管理システム、端末用プログラム、モジュール付き端末、モジュールアダプタを提供することができる。
【図面の簡単な説明】
【００２３】
【図１】本発明の端末の保守サービスを行う保守管理システムのブロック図である。
【図２】保守会社の構成を示すブロック図である。
【図３】使用開始から部品の交換を通知するまでの説明図である。
【図４】端末と提示装置とをＡＳＰで接続した具体的構成を示すブロック図である。
【図５】（ａ）〜（ｅ）は、他の形態のモジュール付き端末の５つの構成部品を示す背面図である。
【図６】（ａ）〜（ｄ）は、図５の構成部品を組み立てている順序を示す背面図である。
【図７】モジュールアダプタの構成を示すブロック図である。
【図８】保守管理システムの他の形態を示す簡略化したブロック図である。
【図９】保守管理システムの他の形態を示す簡略化したブロック図である。
【図１０】保守管理システムの他の形態を示す簡略化したブロック図である。
【発明を実施するための形態】
【００２４】
本発明の端末について説明する。まず、図１に、保守管理システムを示し、この保守管理システムは、端末であるユーザー用端末１、ＡＳＰ（アプリケーション・サービス・プロバイダー）２、端末の販売を行う販売代理店としてのＳＩｅｒ（システムインテグレーター）３、ユーザー用端末１の保守サービス・部品（電子部品も含む）交換を行う保守会社４、装置を開発製造するとともに保守会社と保守連携契約を結んでいる装置メーカ５を備え、それら全てが図示していないネットワークを介して接続されている。ＳＩｅｒ３について説明すると、ユーザー（お客様）がユーザー用端末１をＳＩｅｒ３から購入すると、ＳＩｅｒ３は、装置メーカ５からユーザー用端末１及び周辺機器を取り寄せるとともにそれらをユーザー宅に正常に動くようにセッティングすることを目的としているため、図示しているＳＩｅｒ３は保守管理システムに含めない。また、ＡＳＰ２は、後述するように、サーバーを備えており、受信した情報を処理した後、指定された機器等に処理した情報を送信する。
【００２５】
ユーザー用端末１は、複数の電子部品のうちの少なくとも２つ以上の電子部品についての情報を検出する検出手段６と、検出手段６で検出した情報に基づいて、検出した情報を有する電子部品についての故障時期を予測する故障予測手段７と、故障予測手段７の予測結果に基づいて、予測した電子部品の故障時期が報知が必要な時期か否かを判断する判断手段８と、判断手段８が報知が必要な時期であると判断した場合に、報知情報を複数の電子部品の保守管理を行う保守管理部である保守会社４及び装置メーカ５にネットワークを介して送信する送信手段９と、を備えている。ここでいう電子部品は、液晶パネル、ハードディスク、ＣＰＵ、バッテリ、ＡＣ電源等であり、これら全ての電子部品の情報を検出してもよいし、２つの電子部品の情報を検出する又は３つ以上の任意の個数の電子部品の情報を検出してもよい。ユーザー用端末１としては、ディスクトップ型、ノート型、タブレット型のコンピュータを対象としている。
【００２６】
検出手段６は、ユーザー用端末１内の電子部品やユニットの状態情報で、通常本来持っているある電子部品の温度や電流値の検出情報の他に、ユーザー用端末１の使用環境、使用状況を推測するための温度センサや湿度センサ、ユーザ（利用者）の操作状態を推測するための人感センサを含む各種のセンサからなり、それら各種のセンサをユーザー用端末１に内蔵している。
【００２７】
故障予測手段７は、前記各種のセンサからの検出情報、および、ユーザー用端末１内で使用される電子部品のＭＴＢＦなどの部品耐年時間や部品特性情報に基づいて、電子部品の故障予測時期を予測する。ここでは、各種のセンサ情報と、ユーザー用端末１内の環境による電子部品の性能劣化情報とに基づいて、電子部品の故障予測時期を推測することで、ユーザー用端末１内の電子部品の故障までの予測時期をより正確にユーザー用端末１自身で予測することができる。
【００２８】
判断手段８により、予測した電子部品の故障時期が報知が必要な時期か否かを判断するには、電子部品の故障時期よりも前に設定された設定時間（電子部品を取り寄せて電子部品の交換が完了するまでに必要となる時間）に基づいて判断され、その設定時間になったか否かを確認することで判断する。その設定時間は、ユーザー用端末１の記憶部（図示せず）に記憶され、ユーザー用端末１に備えているタイマー（図示せず）からの情報により設定時間になったか否かを確認することになる。このようにユーザー用端末１に、検出手段６、故障予測手段７、判断手段８を備えることによって、自己診断機能を備えている。
【００２９】
前記のように判断手段８により予測した電子部品の故障時期が報知が必要な時期である場合に、報知情報が生成され、その生成された報知情報（図１ではアラーム通知）が送信手段９により送信され、クラウドサービスを提供するＡＳＰ（アプリケーション・サービス・プロバイダー）２を介して保守会社４及び装置メーカ５に報知情報（図１ではアラーム通知）が報知される。尚、前記報知情報は、保守会社４に通知された後、保守会社４からも装置メーカ５に報知情報（アラーム通知）が報知される。ここでは、これら保守会社４及び装置メーカ５の２つを、保守管理部とするが、保守会社４のみで構成することもできるし、装置メーカ５のみで構成することもできる。
【００３０】
上述したように、検出手段６により検出した電子部品毎の情報に基づいて、該電子部品の故障予測をするため、ユーザー用端末１内のどの電子部品が故障しそうなのかを正確に特定することができる。また、ユーザー用端末１自体で故障予測をするので、ユーザー用端末１がスタンドアローンでも故障予測をすることができる。そして、予測した電子部品の故障時期が報知が必要な時期か否かを判断手段８により判断することができる。また、判断手段８が報知が必要な時期であると判断した場合に、報知情報を保守管理部（保守会社４及び装置メーカ５）にネットワークを介して送信して、外部の保守管理部（保守会社４及び装置メーカ５）に報知することができる。
【００３１】
上記した保守管理システムを導入することで、図３に示すように、使用開始から性能低下の度合を予測し、最終的に故障になると予想される時期を予測し、保守会社４の電子部品の取り寄せ及び交換に要する時間等も計算したうえでユーザー用端末１の電子部品の交換を通知することで故障前に交換を行うことができ、電子部品の交換時間のみでユーザー用端末１の停止時間を少なく抑え、ユーザー用端末１をほぼ連続的に稼働することができる。
【００３２】
前記保守管理システムを構成する保守会社４は、図２に示すように、保守管理用端末１０と、保守管理用サーバー１１と、を備えている。保守管理用端末１０は、複数（少なくとも２つの）の電子部品の保守管理を行うとともに報知手段１２を備えている。また、保守管理用サーバー１１には、報知判断手段１３と、送信手段１４と、を備えている。報知判断手段１３は、ユーザー用端末１の判断手段８の判断結果に基づいて、保守会社４の報知手段１２を動作させるか否かを判断する手段であり、また、送信手段１４は、報知判断手段１３が保守会社４の報知手段１２を動作させると判断した場合に、保守会社４の報知手段１２を動作させる動作信号を該報知手段１２に送信する手段である。報知手段１２は、送信手段１４から動作信号が送信されることによって、表示画面に報知情報が届いていることを表示するとともにブザーやチャイム等の警報装置を作動させる手段からなっているが、他の構成であってもよい。
【００３３】
上記のように、送信手段１４により報知手段１２を動作させることで、故障が近付いている予測結果を保守会社４に迅速に知らせることができる。また、保守会社４から故障が近付いている予測結果が装置メーカ５に報知されるだけでなく、ＡＳＰ２からも故障が近付いている予測結果が装置メーカ５に報知される。これにより、例えば機械トラブルの原因によりＡＳＰ２からの報知が無くても、保守会社４からの報知により故障が近付いている予測結果を装置メーカ５が知ることができる。
【００３４】
ネットワークに接続されたユーザー用端末１から外部への提示や通知は、一般的な装置が標準的に持っているＡＰＬ（プログラミング言語の１つで、数値処理や論理処理により単純にすることを目的とした会話型言語）で情報が簡単に受け取れるＨＴＴＰまたはＨＴＴＰＳ方式による提示、または、これも一般的な装置が標準的に持っているメールで通知することができる。また、図４に示すように、自己診断機能を有するユーザー用端末１は、判断手段８が報知が必要と判断した場合に、報知情報を生成するよう構成され、ユーザー用端末１で生成した報知情報（アラーム通知）をＨＴＴＰＳ方式又はメールを用いてＡＳＰ２に送信する。報知情報（アラーム通知）が送信されると、送信された報知情報（アラーム通知）は、保守会社４の報知判断手段１３（図２参照）に備えている報知情報解読サーバーであるアラーム解読サーバーＳ３が受信する。このアラーム解読サーバーＳ３は、受信した報知情報（アラーム通知）を解読することで保守会社４の報知手段１２を動作させるか否かを判断するとともに、報知手段１２を動作させると判断した場合に、解読した報知情報（アラーム通知）にＰｕｓｈタグ（Ａｌａｒｍタグ、Ｗａｒｎｉｎｇタグ、Ａｂｎｏｒｍａｌタグ等でもよい）を付加する。アラーム解読サーバーＳ３で報知手段１２を動作させると判断してＰｕｓｈタグが付加された報知情報は、ＨＴＴＰサーバーＳ１又はメールサーバーＳ２（保守会社４に配置されている）に備える送信手段１４により保守会社４の報知手段１２に送信される。
【００３５】
また、保守会社４には、送信手段１４が送信した報知情報を受信して該報知情報を提示する提示装置１５を備えている。この提示装置１５は、報知情報にＰｕｓｈタグが付加されているか否かを判別するタグ判別部と、該タグ判別部で報知情報にＰｕｓｈタグが付加されていると判別されることで、該Ｐｕｓｈタグに基づいて報知情報（アラーム通知）を提示する、例えば保守管理用端末１０に備える液晶パネルの画面に報知情報（報知情報の内容）を表示する提示部と、を備えている。従って、アラーム解読サーバーＳ３が、ユーザー用端末１が生成した報知情報を解読することによって、保守会社４の報知手段１２を動作させるか否かを正確に判断することができる。また、提示装置１５が、送信手段１４が送信した報知情報に、タグが付加されていると判別して該報知情報を確実に提示することができる。また、提示装置１５は、タグ判別部でＰｕｓｈタグが付加されていると判別し、つまり、提示装置１５は、タグ判別部でＰｕｓｈタグが付加されていると判別し、Ｐｕｓｈ状態を可能とする機能、つまり直ちに通知するという機能を具備する。そうすることで、報知情報（アラーム通知）が埋もれることを回避できる。さらに、ネットワークが切断されるなどの事態にも備え、ユーザー用端末１から直接ＨＴＴＰ、またはＨＴＴＰＳ方式による提示機能も具備する。ここでは、ＨＴＴＰサーバーＳ１（又はメールサーバーＳ２）、アラーム解読サーバーＳ３を保守会社４に備えている場合を示したが、ＨＴＴＰサーバーＳ１（又はメールサーバーＳ２）、アラーム解読サーバーＳ３を保守会社４以外の場所に備えて、ＨＴＴＰサーバーＳ１（又はメールサーバーＳ２）、アラーム解読サーバーＳ３と、保守会社４とを通信回線で接続してもよい。
【００３６】
また、端末用プログラムが、ユーザー用端末１にインストールされており、この端末用プログラムは、ＣＰＵを含む複数の電子部品を備えるユーザー用端末１において、ユーザー用端末１のＣＰＵを、複数の電子部品のうちの少なくとも２つ以上の電子部品についての情報を取得する情報取得機能、該情報取得機能で取得した情報に基づいて、取得した情報を有する電子部品についての故障時期を予測する故障予測機能、該故障予測機能の予測結果に基づいて、予測した電子部品の故障時期が報知が必要な時期か否かを判断する判断機能として機能させるプログラムである。
【００３７】
ユーザー用端末１のＣＰＵを上記のように機能させることによって、どの電子部品が故障しそうなのかを正確に特定することができる。また、スタンドアローンでも電子部品の故障予測をすることができる。そして、予測した電子部品の故障時期が報知が必要な時期か否かを判断することができる。
【００３８】
また、前記端末用プログラムは、前記判断機能で報知が必要な時期であると判断した場合に、報知情報を前記ユーザー用端末１に備える複数の電子部品の保守管理を行う保守会社４にインターネットを介して送信する送信機能としてユーザー用端末１のＣＰＵを機能させる。このように、ユーザー用端末１のＣＰＵを端末用プログラムにより機能させることによって、報知情報を複数の電子部品の保守管理を行う保守会社４にネットワークを介して送信して、外部の保守会社４に報知することができる。
【００３９】
また、図５（ａ）〜（ｅ）に、別のユーザー用端末であるモジュール付き端末２０（図６（ｄ）参照）の構成部品を示している。このモジュール付き端末２０は、液晶パネルで構成される表示手段２１（図５（ａ）参照）と、端末の中心頭脳となるＣＰＵやＭＢ（マザーボード）機能を有する本体部２２（図５（ｃ）参照）と、表示手段２１内の電子部品の情報及び本体部２２内の電子部品の情報のうちの少なくとも２つの情報を検出する検出手段２３（図７参照）と、表示手段２１と本体部２２とを接続するためのモジュールアダプタ２４（図５（ｂ）参照）と、ＬＡＮ、ＣＯＭ、ＵＳＢ等の外部インターフェイス機能を持つポートリプリケータ２５（図５（ｄ）参照）と、モジュール付き端末２０を取り付けるスタンド２６（図５（ｅ）参照）と、を備えている。尚、前記２つの情報は、表示手段２１内の２つの電子部品の情報、又は本体部２２内の２つの電子部品の情報、あるいは表示手段２１内の１つの電子部品の情報と本体部２２内の１つの電子部品の情報である。
【００４０】
表示手段２１の背（後）面には、モジュールアダプタ２４の前面に備える複数のプラグ（図示せず）を差し込んで表示手段２１にモジュールアダプタ２４を電気的に接続した状態で取り付けるためのジャックの孔２１Ａを備えている。また、モジュールアダプタ２４の背（後）面には、本体部２２の前面に備える複数のプラグ（図示せず）を差し込んでモジュールアダプタ２４に本体部２２を電気的に接続した状態で取り付けるためのジャックの孔２４Ａを備えている。また、本体部２２の背（後）面には、他の電子部品（図示せず）に備える複数のプラグ（図示せず）を差し込んで他の電子部品を本体部２２に電気的に接続した状態で取り付けるためのジャックの孔２２Ａを備えている。
【００４１】
図６（ａ）では、表示手段２１にモジュールアダプタ２４を電気的に接続した状態で取り付けた状態を示し、図６（ｂ）では、表示手段２１に取り付けられたモジュールアダプタ２４に本体部２２を電気的に接続した状態で取り付けた状態を示している。図６（ｃ）では、図６（ｂ）から、モジュールアダプタ２４にポートリプリケータ２５を電気的に接続した状態で取り付けた状態を示している。また、図６（ｄ）では、図６（ｃ）から、スタンド２６を取り付けて、完成したモジュール付き端末２０の背面図を示している。
【００４２】
モジュールアダプタ２４は、図７に示すように、前記検出手段２３で検出した情報に基づいて、検出した情報を有する電子部品についての故障時期を予測する故障予測手段２７と、故障予測手段２７の予測結果に基づいて、予測した電子部品の故障時期が報知が必要な時期か否かを判断する判断手段２８と、ＣＰＵの初期設定（メールアドレスやＩＰアドレス等）を記憶しておくための記憶手段２９と、を備えている。このように、検出手段２３により検出した電子部品毎の情報に基づいて、該電子部品の故障予測をするため、どの電子部品が故障しそうなのかを正確に特定することができる。また、モジュールアダプタ２４自体で故障予測をするので、モジュール付き端末２０がスタンドアローンでも故障予測をすることができる。そして、予測した電子部品の故障時期が報知が必要な時期か否かを判断手段２８により判断することができる。また、モジュールアダプタ２４に初期設定を記憶しているので、新たに初期設定を行う必要がない。よって、保守作業（部品交換）の際の初期設定作業を極めて簡単にでき、モジュール付き端末２０の停止時間を短縮することができる。
【００４３】
尚、本発明は、前記実施形態に限定されるものではなく、本発明の要旨を逸脱しない範囲で種々の変更が可能である。
【００４４】
例えば、実施形態で示したユーザー用端末１として、ディスクトップ型、ノート型、タブレット型のコンピュータを対象としているが、業務用や工業用の装置に組み込まれて試用されるような他のコンピュータであってもよい。
【００４５】
また、前記実施形態では、ユーザー用端末１と保守会社４の保守管理用端末１０とをＡＳＰ２で接続した構成であったが、ＡＳＰ２をユーザー用端末１に備えてもよいし、ＡＳＰ２を保守会社４に備えてもよい。
【００４６】
また、前記実施形態では、ユーザー用端末１に自己診断機能を備えていたが、図８に示すように、外部サーバー３０によりユーザー用端末１の診断を行う構成であってもよい。この場合、ＡＳＰ２に外部サーバー３０を備えた構成を示しているが、ユーザー用端末１の診断を行う外部サーバー３０と保守会社４の保守管理用端末１０とをＡＳＰ２で接続する構成であってもよいし、保守会社４にＡＳＰ２を備えて実施することもできる。
【００４７】
また、図９に示すように、前記外部サーバー３０からのユーザー用端末１の診断結果をユーザー用端末１を介してＡＳＰ２に送信し、ＡＳＰ２から保守会社４の保守管理用端末１０へ送信する構成であってもよい。尚、図９に示すＡＳＰ２をユーザー用端末１に備える、又は保守会社４に備えて実施することもできる。
【００４８】
また、図１０に示すように、ユーザー用端末１にネックワーク接続される保守会社４に、保守管理用端末１０と、ユーザー用端末１の診断を行う保守管理用サーバー３１と、ＡＳＰ２と、を備えて実施することもできる。尚、図８及び図９に示すユーザー用端末１には、図１で示した検出手段６を備え、図８及び図９に示す外部サーバー３０及び図１０に示す保守管理用サーバー３１には、図１で示す故障予測手段７、判断手段８、送信手段９を備えている。従って、ユーザー用端末１の検出手段６からの２つ以上の電子部品についての情報がネットワークを介して外部サーバー３０又は保守管理用サーバー３１に伝達されて、外部サーバー３０又は保守管理用サーバー３１が、検出した情報を有する電子部品についての故障時期を予測し、予測した電子部品の故障時期が報知が必要な時期か否かを判断して、予測した電子部品の故障時期が報知が必要な時期である場合に、保守会社４側へ送信する。
【符号の説明】
【００４９】
１…端末（ユーザー用端末）、２…ＡＳＰ（アプリケーション・サービス・プロバイダー）、３…ＳＩｅｒ（システムインテグレーター）、４…保守会社、５…装置メーカ、６…検出手段、７…故障予測手段、８…判断手段、９…送信手段、１０…保守管理用端末、１１…保守管理用サーバー、１２…報知手段、１３…報知判断手段、１４…送信手段、１５…提示装置、２０…端末、２１…表示手段、２１Ａ，２２Ａ，２４Ａ…孔、２２…本体部、２３…検出手段、２４…モジュールアダプタ、２５…ポートリプリケータ、２６…スタンド、２７…故障予測手段、２８…判断手段、２９…記憶手段、３０…外部サーバー、３１…保守管理用サーバー、Ｓ１…ＨＴＴＰサーバー、Ｓ２…メールサーバー、Ｓ３…アラーム解読サーバー（報知情報解読サーバー）
【図１】
2018147148.tif 000003
【図２】
2018147148.tif 000004
【図３】
2018147148.tif 000005
【図４】
2018147148.tif 000006
【図５】
2018147148.tif 000007
【図６】
2018147148.tif 000008
【図７】
2018147148.tif 000009
【図８】
2018147148.tif 000010
【図９】
2018147148.tif 000011
【図１０】
2018147148.tif 000012